(57)【特許請求の範囲】
【請求項１】
外部電源から受電する発光装置であって、
発光手段と、
第１の入力端と、第２の入力端と、出力端と、グランド端とをそれぞれ有し、それぞれの出力端が互いに電気的に接続されるとともに前記発光手段に電気的に接続されている少なくとも一つの整流手段と、
二つの導電性入力端を備えるとともに、前記外部電源及び前記第１の入力端に電気的に接続されている第１の導電コネクタと、
二つの導電性入力端を備えるとともに、前記外部電源及び前記第２の入力端に電気的に接続されている第２の導電コネクタと、
前記第１の導電コネクタにおける二つの導電性入力端又は前記第２の導電コネクタにおける二つの導電性入力端に電気的に接続されており、又は前記出力端又は前記グランド端に電気的に接続されている少なくとも一つのインピーダンス素子と、
前記発光手段に直列接続されており、前記第１の導電コネクタ及び前記第２の導電コネクタが前記外部電源を受電したときに導通するスイッチング手段と、を備え、前記発光手段が点灯したとき、前記スイッチング手段は前記外部電源が切断されるまで引き続き導通する、ことを特徴とする発光装置。
【請求項２】
前記外部電源は、前記第１の導電コネクタ及び前記第２の導電コネクタにおける二つの導電性入力端にそれぞれ給電する、ことを特徴とする請求項１に記載の発光装置。
【請求項３】
前記発光手段は、発光モジュールと、制御モジュールとを有し、
前記発光モジュールは、複数の発光ダイオードを有し、
前記制御モジュールは、前記発光モジュールの前記複数の発光ダイオードの点灯数を制御する、ことを特徴とする請求項１に記載の発光装置。
【請求項４】
前記整流手段がそれぞれブリッジ整流器である、ことを特徴とする請求項１に記載の発光装置。
【請求項５】
前記インピーダンス素子の数が二つであって、そのうちの一つが前記第１の導電コネクタにおける二つの導電性入力端に電気的に接続されており、他の一つが前記第２の導電コネクタにおける二つの導電性入力端に電気的に接続されている、ことを特徴とする請求項１に記載の発光装置。
【請求項６】
前記インピーダンス素子が、可変インピーダンス素子、又は前記発光手段の回路の一部又は全部である、又は前記整流手段の回路の一部又は全部である、又はＡＣ発光ダイオードモジュールである、ことを特徴とする請求項１に記載の発光装置。
【請求項７】
前記発光手段に電気的に接続され、前記発光手段の発光状態に基づいて前記スイッチング手段を制御する制御手段をさらに備えている、ことを特徴とする請求項１に記載の発光装置。
【請求項８】
前記発光手段及び／又は前記整流手段が、ＡＣ発光ダイオードモジュールをそれぞれ有する、ことを特徴とする請求項１に記載の発光装置。
【発明の詳細な説明】
【技術分野】
【０００１】
本発明は、発光装置に関し、特に発光ダイオード（ＬＥＤ）の発光装置に関する。
【背景技術】
【０００２】
図１Ａ及び図１Ｂは、発光装置として公知の蛍光灯器具１の概略を示す。蛍光灯器具１は電気エネルギーを光エネルギーに変換することができる器具である。
【０００３】
蛍光灯器具１は、蛍光管１１と、ランプ器具１２とを備えている。蛍光管１１は、口金１１１と、チューブ１１２とを備えている。そしてランプ器具１２は、二つのソケット１２１と、安定器１２２と、スタータ１２３と、器具本体１２４とを備えている（図１Ａには安定器１２２及びスタータ１２３は図示されておらず、図１Ｂにはソケット１２１及び器具本体１２４は図示されていない）。このうち、ソケット１２１は器具本体１２４の両側に配設されており、安定器１２２及びスタータ１２３は器具本体１２４内に配設されており、そして蛍光管１１の二つの口金１１１はソケット１２１にそれぞれ装着されて、交流電源を蛍光灯器具１に供給することで、蛍光管１１を点灯することができる。
【０００４】
以下、図１Ｂを再度参照しながら、蛍光灯器具１の動作を説明する。スイッチがオンにされ交流電源が蛍光管１１に供給されると、その電圧不足のために蛍光管１１にガス放電が発生し、電流は、交流電源から例えば左側の口金１１１の第１の電極Ａ１、フィラメント１１３、第２の電極Ａ２を経由して、さらにスタータ１２３（このときスタータ１２３は電圧に一時的なショートが発生したことを検出する）、右側の口金１１１の第２の電極Ｂ２、フィラメント１１３、第１の電極Ｂ１を経由して、さらに安定器１２２を経由して外部電源ＡＣに戻り、ループ回路を形成する。この電流によりフィラメント１１３が発熱し始める。
【０００５】
スタータ１２３がショート又は切断した後、突然の切断により安定器１２２中のコイルがチューブ１１２の両端に高電圧を発生させることで、発熱したフィラメント１１３にて大量の電子を放出させると、電子がチューブ１１２内のガス分子に衝突して、ガス分子が遊離するとともにより多くの電子を放出し、これら電子がさらに他のガス分子に引き続き衝突するという具合にこれが絶えず連鎖していく。これら電子がチューブ１１２内の水銀ガスを蒸発させて紫外線を放出し、そしてチューブ１１２の内側表面のリン物質の蛍光材によって紫外線が吸収されるとともに、波長の長い可視光が放出されことで、蛍光管に電流が流れて、蛍光灯器具１を点灯することができるようになる。そして蛍光灯器具１は、第１の電極Ａ１、フィラメント１１３、チューブ１１２、フィラメント１１３、第１の電極Ｂ１及び安定器１２２によりループ回路が形成される（このとき、蛍光管１１が点灯して導通した後、蛍光管１１の両端の電圧が低下すると、フィラメント１１３の切断を維持する）。このうち、安定器１２２は、蛍光管１１の電流が安全な電流以下として、蛍光灯器具１が過電流によって焼き付いてしまうのを防止するように制御することができる。このうち、安定器１２２は、一般的には、公知とされる従来の安定器又は電子式の安定器であって、蛍光管の電流が安全電流以下となるように制御するものである。
【０００６】
近年では、発光ダイオード（Ｌｉｇｈｔ Ｅｍｉｔｔｉｎｇ Ｄｉｏｄｅ、ＬＥＤ）は、製造工程及び材料の面で絶えず改良が加えられたことによって、発光ダイオードの効率は大幅に向上している。一般の蛍光灯又は省エネ型電灯と異なり、発光ダイオードは、消費電力が少なく、汚染が少なく、長寿命で、安全性が高く、発光の反応時間が短く、そして小型であるなどの特性を備えていることから、数多くの種類の電子製品に内蔵され広く使用されている。このうちの一つの応用として、発光ダイオードの発光装置を公知の蛍光ランプと同じ外形として製作して、公知の蛍光ランプと直接交換するようにするものがある。
【発明の概要】
【発明が解決しようとする課題】
【０００７】
しかしながら、蛍光ランプと同じ外形の発光ダイオードの発光装置（又は発光ダイオードランプ）を従来型の安定器が接続されている蛍光管１１と交換するにあたり、取り付け時に、ランプ電源をフィラメントの二つの接点のうちのどの一端に接続するのかを確定することができず、元のフィラメント箇所の二つの接点のうちいずれかのランプ電源を得るために、通常は元のフィラメント箇所の二つの接点をショートさせる。ところが、発光ダイオードが導通していないときには、入力電圧がスタータ１２３を一時的にショートさせるが、フィラメント箇所はすでにショートさせてあるので、フィラメント抵抗器による保護がなくなっているために、スタータ１２３が焼き付いてしまう恐れがある。したがって、スタータ１２３が焼き付くのを防止するために、発光ダイオードランプに交換するにあたって予めスタータ１２３を取り外しておく必要がある。
【０００８】
また、蛍光ランプと同じ外形の発光ダイオードランプを電子式の安定器に接続されている蛍光管１１と交換する際において、電子式の安定器はフィラメントの存在を検出するものであるが、しかしながら発光ダイオードランプにはフィラメントが存在しないため、元のランプ器具の電子式の安定器を取り外して配線を変更しなければ、発光装置又は電子式の安定器が焼き付いたり、動作しなくなってしまう可能性がある。
【０００９】
したがって、公知の蛍光ランプと直接交換する際に、ランプ器具の配線を変更する必要のない発光装置を如何に提供するかということは、現在の重要な課題となっている。 
【００１０】
上記課題に鑑み、本発明の目的は、公知の蛍光ランプと直接交換する際に、ランプ器具の配線を変更する必要のない発光装置を提供するところにある。
【課題を解決するための手段】
【００２１】
上記目的を達成するために、本発明に係る発光装置は、外部電源から受電する発光装置であって、発光手段と、少なくとも一つの整流手段と、二つの導電性入力端と、第１の導電コネクタと、第２の導電コネクタと、少なくとも一つのインピーダンス素子と、スイッチング手段と、を備えている。前記整流手段は、第１の入力端と、第２の入力端と、出力端と、グランド端とをそれぞれ有し、それぞれの出力端が互いに電気的に接続されるとともに前記発光手段に電気的に接続されている。前記第１の導電コネクタは、二つの導電性入力端を備えるとともに、前記外部電源及び前記第１の入力端に電気的に接続されている。前記第２の導電コネクタは、二つの導電性入力端を備えるとともに、前記外部電源及び前記第２の入力端に電気的に接続されている。前記インピーダンス素子は、前記第１の導電コネクタにおける二つの導電性入力端又は前記第２の導電コネクタにおける二つの導電性入力端に電気的に接続されており、又は前記出力端又は前記グランド端に電気的に接続されている。前記スイッチング手段は、前記発光手段に直列接続されており、前記第１の導電コネクタ及び前記第２の導電コネクタが前記外部電源を受電したときに導通する。前記発光手段が点灯したとき、前記スイッチング手段は前記外部電源が切断されるまで引き続き導通する。
【００２２】
この発明において、前記外部電源は、前記第１の導電コネクタ及び前記第２の導電コネクタにおける二つの導電性入力端にそれぞれ給電することが好ましい。
【００２３】
この発明において、前記発光手段は、発光モジュールと、制御モジュールとを有し、前記発光モジュールは、複数の発光ダイオードを有し、前記制御モジュールは、前記発光モジュールの前記複数の発光ダイオードの点灯数を制御することが好ましい。
【００２４】
この発明において、前記整流手段がそれぞれブリッジ整流器であることが好ましい。
【００２５】
この発明において、発光装置は、第１の出力端に電気的に接続されている少なくとも一つのフィルタをさらに備えていることが好ましい。
【００２６】
この発明において、前記インピーダンス素子の数が二つであって、そのうちの一つが前記第１の導電コネクタにおける二つの導電性入力端に電気的に接続されており、他の一つが前記第２の導電コネクタにおける二つの導電性入力端に電気的に接続されていることが好ましい。
【００２７】
この発明において、前記インピーダンス素子が、可変インピーダンス素子、又は前記発光手段の回路の一部又は全部である、又は前記整流手段の回路の一部又は全部である、又はＡＣ発光ダイオードモジュールであることが好ましい。
【００３０】
この発明において、前記発光手段及び／又は前記整流手段が、ＡＣ発光ダイオードモジュールをそれぞれ有することが好ましい。
【発明の効果】
【００３１】
上記本発明によれば、発光装置は発光ダイオードランプであって、これには公知の蛍光ランプのようなフィラメントが存在しないものの、発光装置の内部素子を疑似的なフィラメントとして機能させることにより、公知のランプ器具のスタータ及び安定器は正常動作が可能となるうえ、発光装置は正常に点灯することができる。公知技術と比較するに、公知の蛍光ランプから本発明の発光装置に交換されたことにより、従来型の安定器のスタータが焼き付いたり、又は電子式の安定器を取り外して配線を変更しなければならないという問題が生じることはない。したがって、本発明の発光装置が公知の蛍光ランプ器具に取付けられるとき、公知の蛍光ランプと直接交換して点灯させることができ、しかもその際にランプ器具の配線を変更する必要はなくなる。
【図面の簡単な説明】
【００３２】
【図１Ａ】公知の蛍光灯の概略図。
【図１Ｂ】公知の蛍光灯の回路概略図。
【図２Ａ】本発明の参考形態に係る発光装置の回路概略図。
【図２Ｂ】本発明の他の参考態様に係る発光装置の回路概略図。
【図２Ｃ】本発明のさらに他の参考態様に係る発光装置の回路概略図。
【図２Ｄ】本発明のさらに他の参考態様に係る発光装置の回路概略図。
【図２Ｅ】本発明のさらに他の参考態様に係る発光装置の回路概略図。
【図２Ｆ】本発明のさらに他の参考態様に係る発光装置の回路概略図。
【図２Ｇ】本発明のさらに他の参考態様に係る発光装置の回路概略図。
【図２Ｈ】本発明の実施形態に係る発光装置の回路概略図。
【図３Ａ】本発明のさらに他の参考態様に係る発光装置の回路概略図。
【図３Ｂ】本発明のさらに他の参考態様に係る発光装置の回路概略図。
【図４Ａ】本発明のさらに他の参考態様に係る発光装置の回路概略図。
【図４Ｂ】本発明のさらに他の参考態様に係る発光装置の回路概略図。
【図４Ｃ】本発明のさらに他の参考態様に係る発光装置の回路概略図。
【図４Ｄ】本発明のさらに他の参考態様に係る発光装置の回路概略図。
【図４Ｅ】本発明のさらに他の実施形態に係る発光装置の回路概略図。
【図５Ａ】本発明のさらに他の参考態様に係る発光装置の概略図。
【図５Ｂ】本発明のさらに他の参考態様に係る発光装置の概略図。
【図５Ｃ】本発明のさらに他の参考態様に係る発光装置の概略図。
【図５Ｄ】本発明のさらに他の参考態様に係る発光装置の概略図。
【図５Ｅ】本発明のさらに他の参考態様に係る発光装置の概略図。
【発明を実施するための形態】
【００３３】
以下、関連する図面を参照して、本発明の好ましい実施形態に係る発光装置を説明する。このうち同じ構成要素は、同じ符号を付して説明する。
【００３４】
図２Ａは、発光装置２の回路概略図を示す。本発明の発光装置２は、従来の安定器又は電子式の安定器を備えた従来の蛍光ランプと互換性がある上、公知の蛍光ランプと交換するように応用することができる。また、公知の蛍光ランプと交換するために、発光装置２の外形は公知の蛍光ランプと同形に製作されるとともに、公知のランプ器具のソケットに装着することができる。また、発光装置２の動作原理を説明するために、図２Ａの回路概略図にて公知の蛍光灯における従来の安定器Ｔ及びスタータＳを示す。
【００３５】
図中、発光装置２は外部電源ＡＣから受電することができる。外部電源ＡＣは商用電源とすることができ、その電圧は例えば１１０Ｖ又は２２０Ｖであり、その周波数は例えば５０Ｈｚ、６０Ｈｚ又はその倍数、又は高周波交流電源とすることができる。かかる電圧及び周波数は、ここでは限定されない。
【００３６】
発光装置２は、発光手段２１と、二つの整流手段２２、２３と、第１の導電コネクタ２４と、第２の導電コネクタ２５とを備えている。
【００３７】
発光手段２１は、制御モジュール２１１と、発光モジュール２１２とを備えている。発光モジュール２１２は、複数の発光ダイオードを備えることができ（図面には１つの発光ダイオードのみ図示しているが、ここでは、複数の発光ダイオードを意味することができる）、前記複数の発光ダイオードは直列接続、並列接続又は直列・並列接続の組合わせとすることができる。以下、本発明では発光ダイオードを備えた発光装置は発光ダイオードランプと称する。
【００３８】
また、制御モジュール２１１は発光モジュール２１２に電気的に接続されており、かつ発光モジュール２１２の前記複数の発光ダイオードの点灯数を制御することができる。このうち、制御モジュール２１１は、発光モジュール２１２に直列又は並列に接続されるか、又は制御モジュール２１１は発光モジュール２１２の一部に直列接続されるとともに、他の一部が並列接続されてもよい。このうち、制御モジュール２１１は、発光モジュール２１２における発光ダイオードの間の接点の電圧を検知するか、又は発光モジュール２１２の発光状態を表すパラメータを検知するか、又は発光モジュール２１２の動作状態と発光手段２１の発光状態に基づいて、異なる数の発光ダイオードを点灯することで、異なる入力電圧に応じて、入力電源の利用効率を高めることができる。
【００３９】
さらに、図２Ａに示すように、整流手段２２、２３はそれぞれブリッジ整流器（ｂｒｉｄｇｅ ｒｅｃｔｉｆｉｅｒ）である。このうち、整流手段２２、２３は、第１の入力端２２１、２３１と、第２の入力端２２２、２３２と、共通の出力端２２３（２３３）と、グランド端２２４、２３４とをそれぞれ備えており、かつ複数の出力端２２３（２３３）は発光手段２１に電気的に接続されている。
【００４０】
第１の導電コネクタ２４は、外部電源ＡＣ及び前記複数の第１の入力端２２１、２３１に電気的に接続されている。ここでは、第１の導電コネクタ２４は、二つの入力端、つまり第１の電極Ａ１及び第２の電極Ａ２を備えており、外部電源ＡＣは、第１の導電コネクタ２４及び第２の導電コネクタ２５における二つの導電性入力端にそれぞれ給電する。このうち、第１の電極Ａ１の両端は、整流手段２２及び第１の入力端２２１にそれぞれ電気的に接続されており、第２の電極Ａ２の両端は、スタータＳ及び整流手段２３の第１の入力端２３１にそれぞれ電気的に接続されている。
【００４１】
また、第２の導電コネクタ２５は、外部電源ＡＣ及び前記複数の第２の入力端２２２、２３２に電気的に接続されている。ここでは、第２の導電コネクタ２５は、二つの導電性入力端、つまり第１の電極Ｂ１及び第２の電極Ｂ２を備えており、第１の電極Ｂ１の両端は安定器Ｔ（及び外部電源ＡＣ）及び整流手段２２の第２の入力端２２２にそれぞれ電気的に接続されており、第２の電極Ｂ２の両端はスタータＳ及び整流手段２３の第２の入力端２３２にそれぞれ電気的に接続されている。
【００４２】
発光装置２を従来の安定器が接続されている公知の蛍光ランプとの交換に用いる場合、発光装置２にはフィラメントが存在しないため、フィラメントを余熱する必要がなく、高電圧を放電させる必要もないことから、発光ダイオードランプに印加させる電圧が低めの動作電圧に達したときでも、発光装置２は点灯できる。このときランプの電流は、外部電源ＡＣから第１の導電コネクタ２４の第１の電極Ａ１、ブリッジ整流手段２２の第１の入力端２２１及び出力端２２３、発光手段２１、発光手段２１のグランド端２１３、ブリッジ整流手段２２のグランド端２２４及び第２の入力端２２２を経由して、さらには第２の導電コネクタ２５の第１の電極Ｂ１を経由して安定器Ｔに流れて外部電源ＡＣに戻る。したがって、スタータＳは、第２の電極Ａ２、Ｂ２に接続されている両端がブリッジ整流手段２３により隔離されて電圧を検出せず、スタータＳは接断状態を常に維持することになる。
【００４３】
また、発光装置２を電子式の安定器が接続されている公知の蛍光ランプとの交換に用いる場合、電子式の安定器はフィラメント電流の有無を検知することになる。このとき、発光装置２のそれぞれの構成が、第１の導電コネクタ２４の第１の電極Ａ１と第１の導電コネクタ２４の第２の電極Ａ２との間の電流、又は第１の導電コネクタ２４の第１の電極Ａ１と第２の導電コネクタ２５の第１の電極Ｂ１との間の電流、又は第２の導電コネクタ２５の第１の電極Ｂ１と第２の導電コネクタ２５の第２の電極Ｂ２との間の電流、そして、又は第１の導電コネクタ２４の第２の電極Ａ２と第２の導電コネクタ２５の第２の電極Ｂ２との間の電流といった擬似的なフィラメント電流ループである四種類の電流経路を提供することができる。
【００４４】
第１の導電コネクタ２４の第１の電極Ａ１と第１の導電コネクタ２４の第２の電極Ａ２との間に電流が流れる場合、電流経路は第１の導電コネクタ２４の第１の電極Ａ１、第１の入力端２２１、出力端２２３、発光手段２１、グランド端２１３、グランド端２３４、第１の入力端２３１、第１の導電コネクタ２４の第２の電極Ａ２となる。第１の導電コネクタ２４の第１の電極Ａ１と第２の導電コネクタ２５の第１の電極Ｂ１との間に電流が流れる場合、電流経路は第１の導電コネクタ２４の第１の電極Ａ１、第１の入力端２２１、出力端２２３、発光手段２１、グランド端２１３、グランド端２２４、第２の入力端２２２、第２の導電コネクタ２５の第１の電極Ｂ１となる。第２の導電コネクタ２５の第１の電極Ｂ１と第２の導電コネクタ２５の第２の電極Ｂ２との間に電流が流れる場合、電流経路は第２の導電コネクタ２５の第１の電極Ｂ１、第２の入力端２２２、出力端２２３、発光手段２１、グランド端２１３、グランド端２３４、第２の入力端２３２、第２の導電コネクタ２５の第２の電極Ｂ２となる。第１の導電コネクタ２４の第２の電極Ａ２と第２の導電コネクタ２５の第２の電極Ｂ２との間に電流が流れる場合、電流経路は第１の導電コネクタ２４の第２の電極Ａ２、第１の入力端２３１、出力端２３３、発光手段２１、グランド端２１３、グランド端２３４、第２の入力端２３２、第２の導電コネクタ２５の第２の電極Ｂ２となる。これにより擬似的なフィラメント電流ループが形成される。ここでは、発光手段２１全体を一つのインピーダンス可変の素子（発光ダイオードはインピーダンスを有している）と見なすことができ、公知の蛍光ランプのフィラメントと同じように機能する。
【００４５】
また、ランプの電流もまた、発光装置２のそれぞれの構成が第１の導電コネクタ２４の第１の電極Ａ１と第２の導電コネクタ２５の第１の電極Ｂ１との間の電流、又は第１の導電コネクタ２４の第１の電極Ａ１と第２の導電コネクタ２５の第２の電極Ｂ２との間の電流、又は第１の導電コネクタ２４の第２の電極Ａ２と第２の導電コネクタ２５の第１の電極Ｂ１との間の電流、又は第１の導電コネクタ２４の第２の電極Ａ２と第２の導電コネクタ２５と第２の電極Ｂ２との間の電流である四種類の電流経路を有している。
【００４６】
第１の導電コネクタ２４の第１の電極Ａ１と第２の導電コネクタ２５の第１の電極Ｂ１（又は第２の電極Ｂ２）との間に電流が流れる場合、電流経路は第１の導電コネクタ２４の第１の電極Ａ１、第１の入力端２２１、出力端２２３、発光手段２１、グランド端２１３、グランド端２２４（又はグランド端２３４）、第２の入力端２２２（又は第２の入力端２３２）、第２の導電コネクタ２５の第１の電極Ｂ１（又は第２の電極Ｂ２）となる。電流が発光手段２１を通過した後、電流は自動的に第２の導電コネクタ２５の第１の電極Ｂ１又は第２の導電コネクタ２５の第２の電極Ｂ２の両者の間で低インピーダンスの一端に向けて流れる。第１の導電コネクタ２４の第２の電極Ａ２と第２の導電コネクタ２５の第２の電極Ｂ２（又は第１の電極Ｂ１）との間に電流が流れる場合、電流経路は第１の導電コネクタ２４の第２の電極Ａ２、第１の入力端２３１、出力端２３３、発光手段２１、グランド端２１３、グランド端２３４（又はグランド端２２４）、第２の入力端２３２（又は第２の入力端２２２）、第２の導電コネクタ２５の第２の電極Ｂ２（又は第１の電極Ｂ１）となり、電流が発光手段２１を通過した後、電流は自動的に第２の導電コネクタ２５の第１の電極Ｂ１又は第２の導電コネクタ２５の第２の電極Ｂ２の両者の間で低インピーダンスの一端に向けて流れる。よって、発光装置２を正常に点灯させることができる。
【００４７】
上記のように、本発明の発光装置２は発光ダイオードランプであって、公知の蛍光ランプのフィラメントはないものの、発光手段２１を擬似的なフィラメントとすることで、公知のランプ器具のスタータ及び安定器を正常に動作させることができることから、公知の蛍光ランプが本発明の発光装置２に交換されることで、従来の安定器のスタータが焼き付いたり、又は電子式の安定器を取り外して配線を変更しなければならないということはなくなる。また、本発明の発光装置２を公知の蛍光灯器具に取付けるときでも、正常に点灯させることができる。
【００４８】
以下、図２Ｂ乃至図２Ｇを参照して、発光装置２とは異なる態様の発光装置２ａ〜２ｆを説明する。このうち、図２Ｃ乃至図２Ｇにおいては、スタータＳ及び安定器Ｔは図示していない。
【００４９】
図２Ｂは、発光装置２ａを示す。発光装置２ａと発光装置２との相違点は、発光装置２ａは、一端が出力端２２３（２３３）に電気的に接続されており、他端がグランドされている少なくとも一つのフィルタ２６を備えている点である。このうち、フィルタ２６は発光手段２１に入力される電源のろ波用とすることができる。また、発光装置２は、第１の導電コネクタ２４における二つの導電性入力端（第１の電極Ａ１、第２の電極Ａ２）に電気的に接続されるか、又は第２の導電コネクタ２５における二つの導電性入力端（第１の電極Ｂ１、第２の電極Ｂ２）に電気的に接続されている少なくとも一つのインピーダンス素子をさらに備えてもよい。このうち、インピーダンス素子は抵抗器、インダクタ、キャパシタ、能動素子、又は前記素子又は別の素子の組合わせからなる回路とすることができる。
【００５０】
本態様において、インピーダンス素子２７１を例としており、かつインピーダンス素子２７１の両端は第１の導電コネクタ２４の第１の電極Ａ１及び第２の電極Ａ２にそれぞれ電気的に接続されている。ここでは、インピーダンス素子２７１を擬似的なフィラメントとしている。従来の安定器及びスタータに接続する場合、インピーダンス素子２７１にフィラメント電流が流れることはない。電子式の安定器に接続する場合、その第１の導電コネクタ２４のフィラメント電流は第１の電極Ａ１、第２の電極Ａ２との間でインピーダンス素子２７１を経由して流れて、その第２の導電コネクタ２５のフィラメント電流は第１の電極Ｂ１、第２の電極Ｂ２との間で流れて、その電流ループは第２の導電コネクタ２５の第１の電極Ｂ１、第２の入力端２２２、出力端２２３、発光手段２１、グランド端２１３、グランド端２３４、第２の入力端２３２、第２の導電コネクタ２５の第２の電極Ｂ２となる。また、発光ダイオードランプの電流方向は発光装置２と同じであるので、ここでは別途説明はしない。
【００５１】
したがって、発光装置２ａはインピーダンス素子２７１を擬似的なフィラメントとして作用するものであって、よって、公知の蛍光ランプが本発明の発光装置２ａに交換されることで、従来の安定器のスタータが焼き付いたり、又は電子式の安定器を取り外して配線を変更しなければならないということはなくなる。また、本発明の発光装置２ａを公知の蛍光灯器具に取付けるときでも、正常に点灯させることができる。
【００５２】
図２Ｃは、発光装置２ｂを示す。発光装置２ｂと発光装置２ａとの相違点は、発光装置２ｂのインピーダンス素子２７２の両端は、第２の導電コネクタ２５の第１の電極Ｂ１、第２の電極Ｂ２にそれぞれ電気的に接続されている点である。発光装置２ｂも発光装置２ａと同様にインピーダンス素子２７２を擬似的なフィラメントとしている。そのフィラメントの電流ループ及びランプの電流ループは上述した発光装置２ａを参照することができるので、ここでは別途説明しない。
【００５３】
図２Ｄは、発光装置２ｃを示す。発光装置２ｃと発光装置２ａとの相違点は、発光装置２ｃは二つのインピーダンス素子２７１、２７２を備えており、インピーダンス素子２７１の両端は第１の導電コネクタ２４の第１の電極Ａ１及び第２の電極Ａ２にそれぞれ電気的に接続されており、そしてインピーダンス素子２７２の両端は第２の導電コネクタ２５の第１の電極Ｂ１、第２の電極Ｂ２にそれぞれ電気的に接続されている点である。このうち、発光装置２ｃはインピーダンス素子２７１及びインピーダンス素子２７２をそれぞれ擬似的なフィラメントとしている。そのフィラメントの電流ループ及びランプの電流ループは上述した発光装置２ａを参照することができるので、ここでは別途説明しない。
【００５４】
図２Ｅは、発光装置２ｄを示す。発光装置２ｄと発光装置２ａとの相違点は、発光装置２ｄは、一端が複数の出力端２２３（２３３）に電気的に接続されており、他端がグランドされているインピーダンス素子２７３を備えている点である。このうち、発光装置２ｄはインピーダンス素子２７３を擬似的なフィラメントとしている。そのフィラメントの電流ループ及びランプの電流ループは上述した発光装置２ａを参照することができるので、ここでは別途説明しない。
【００５５】
また、図２Ｆは、発光装置２ｅを示す。発光装置２ｅと発光装置２ｄとの相違点は、発光装置２ｅのインピーダンス素子２７４は、一端が複数の出力端２２３（２３３）に電気的に接続されており、他端がグランドされている可変インピーダンス素子である点である。このうち、発光装置２ｅはインピーダンス素子２７４を擬似的なフィラメントとしている。低電圧であるときには、インピーダンス素子２７４は低インピーダンスとなり、起動をトリガするフィラメント電流を提供しており、高電圧であるときには、インピーダンス素子２７４は高インピーダンス又は切断状態となり、電流を発光手段２１に流すことにより、電源が高い効率で使用されるよう維持している。
【００５６】
また、図２Ｇは、発光装置２ｅを示す。発光装置２ｅと発光装置２との相違点は、発光装置２ｆは発光手段２１の回路Ｐの一部を擬似的なフィラメントとしている点である。このように、さらにフィラメント電流で発光手段２１を発光させることで、電源の使用効率を高めることができる。
【００５７】
また、発光装置２ａ乃至発光装置２ｆに係るその他の技術的特徴は発光装置２を参照することができるので、ここでは別途説明はしない。
【００５８】
図２Ｈは、実施形態に係る発光装置２ｇの回路概略図を示す。図２Ｈの発光装置２ｇと図２Ｄの発光装置２ｃと比較するに、両者の相違点は、発光装置２ｇは、発光手段２１とグランド端２１３との間に直列接続されているスイッチング手段２８をさらに備えている点である。第１の導電コネクタ２４及び第２の導電コネクタ２５が同時に外部電源（図示しない）から受電すると、スイッチング手段２８が導通する。換言すれば、外部電源が同時に第１の導電コネクタ２４及び第２の導電コネクタ２５に接続されたとき、スイッチング手段２８が導通して、発光手段２１が点灯する。このうち、スイッチング手段２８は電子式のスイッチ（例えばトランジスタスイッチ）としても、機械式のスイッチ（例えばリレー）としてもよく、ここでは限定はしない。スイッチング手段２８を設ける目的は、第１の導電コネクタ２４及び第２の導電コネクタ２５がソケットに装着されなければ、発光装置２ｇが導通することがないようにするところにある。発光装置２ｇは導電コネクタの一つしか公知のランプ器具のソケットに挿入されていないときには、他端の導電コネクタに漏電が発生しないようにして、設置作業者が感電するのを防止している。発光手段２１が点灯した後、スイッチング手段２８は引き続き導通することで、セルフラッチループ（ｓｅｌｆ−ｌａｔｃｈｅｄ  ｌｏｏｐ）を形成している。
【００５９】
また、発光装置２ｇは、発光手段２１に電気的に接続されている制御手段２９をさらに備えることができる。制御手段２９は発光手段２１の発光状態に基づいてスイッチング手段２８を制御することができる。換言すれば、制御手段２９は、外部電源が第１の導電コネクタ２４及び第２の導電コネクタ２５に接続されたときにスイッチング手段２８が導通するのを検知する。また、制御手段２９は、スイッチング手段２８の導通を検知したときすなわち発光手段２１が発光したことを検出したとき（例えば発光手段２１の電圧降下、電流又は明度などの状況）、スイッチング手段２８の導通状態をロックして、発光手段２１での点灯状態を維持させる。発光装置２から入力電源が消失した後、発光手段２１は消灯し、このとき、スイッチング手段２８が同時にカットする（回路が切断される）。
【００６０】
また、発光装置２ｇのその他の技術的特徴は発光装置２ｃを参照することができるので、ここでは別途説明はしない。
【００６１】
また、言及しておきたいこととして、実際の運用時において、スイッチング手段２８は、製品の需要又は設計に応じて考慮することで、異なる回路構成がある。以下では、図３Ａ及び３Ｂを参照して、スイッチング手段２８の変化態様を例示して説明する。
【００６２】
図３Ａは、スイッチング手段２８として別の回路構成を有する発光装置２ｇ'を示す。本実施例において、スイッチング手段２８は、スイッチ２８１と、スイッチ２８２と、スイッチＳＷ１と、スイッチＳＷ２とからなる。このうち、スイッチ２８１、２８２はそれぞれリレーであり、そしてスイッチＳＷ１、ＳＷ２はフォトカプラ（ｐｈｏｔｏ ｃｏｕｐｌｅｒ）をそれぞれ備えている。しかしながら、他の実施態様において、スイッチ２８１、２８２もまた、例えばトランジスタスイッチ又はフォトカプラといったその他形態のスイッチをそれぞれ備えてもよく、そしてスイッチＳＷ１、ＳＷ２もまた、例えばリレー或トランジスタスイッチといったその他形態のスイッチを備えてもよい。ここではスイッチの形態について限定はしない。このうち、リレー及びフォトカプラは電気的に絶縁されているので、ノイズに干渉されないという長所を備えている。
【００６３】
第１の導電コネクタの第１の電極Ａ１及び第２の電極Ａ２が外部電源に接続されると、スイッチＳＷ１（フォトカプラ）が導通するとともに、スイッチング手段２８のスイッチ２８１は導通状態となることから、電流は第１の電極Ａ１、Ｂ１を経由して発光手段２１に流れるので、発光手段２１が点灯し、そしてこれと同時に、制御手段２９が発光手段２１における電圧降下を検出するので、制御手段２９はスイッチＳＷ２（他方のフォトカプラ）を導通させることで、スイッチング手段２８における他方のスイッチ２８２も導通して、セルフラッチループを形成する。
【００６４】
図３Ｂは、スイッチング手段２８としてさらに別の回路構成を有する発光装置２ｈを示す。発光装置２ｈと発光装置２ｇ’との相違点は、発光装置２ｈのスイッチング手段２８は一組のスイッチＳＷ２を省略している点である。また、発光装置２ｈのその他の技術的特徴は発光装置２ｇ’を参照することができるので、ここでは別途説明はしない。
【００６５】
また、他の参考態様における発光装置３の回路概略図である図４Ａを参照されたい。このうち、図４Ａには公知の蛍光灯器具の安定器、スタータ及び外部電源は図示していない。
【００６６】
発光装置３は、外部電源から受電することができるうえ、発光手段３１と、少なくとも一つの整流手段３２と、第１の導電コネクタ３４と、第２の導電コネクタ３５と、少なくとも一つのインピーダンス素子を備えている。
【００６７】
発光手段３１は、発光モジュール３１２と、制御モジュール３１１とを備えている。発光モジュール３１２は発光ダイオードを備えており（図面には１つの発光ダイオードのみを図示しているが、ここでは、複数の発光ダイオードを意味することができる）、複数の発光ダイオードは直列接続、並列接続又は直列・並列接続の組合わせとすることができる。また、制御モジュール３１１は発光モジュール３１２に電気的に接続されており、かつ発光モジュール３１２の複数の発光ダイオードの点灯数を制御することができる。このうち、制御モジュール３１１は発光モジュール３１２に直列又は並列に接続されるか、又は制御モジュール３１１は発光モジュール３１２の一部に直列接続されるとともに、他の一部が並列接続されてもよい。このうち、制御モジュール３１１は発光モジュール３１２における発光ダイオードの間の接点の電圧を検知するか、又は発光モジュール３１２の発光状態を表すパラメータを検知するか、又は発光モジュール３１２の動作状態と発光手段３１の発光状態に基づいて、異なる数の発光ダイオードを点灯することで、異なる入力電圧に対応して、入力電源の利用効率を高めることができる。
【００６８】
整流手段３２は第１の入力端３２１と、第２の入力端３２２と、出力端３２３と、グランド端３２４とを備えており、出力端３２３は発光手段３１に電気的に接続されている。本実施例では整流手段３２を例としている。このうち、整流手段３２はブリッジ整流器である。
【００６９】
第１の導電コネクタ３４は、外部電源及び第１の入力端３２１に電気的に接続されている。第２の導電コネクタ３５は、外部電源及び第２の入力端３２２に電気的に接続されている。ここでは、第１の導電コネクタ３４の第１の電極Ａ１は第１の入力端３２１に電気的に接続されており、第２の導電コネクタ３５の第１の電極Ｂ１及び第２の電極Ｂ２は第２の入力端３２２に同時に電気的に接続されている。また、第１の電極Ｂ１と第２の電極Ｂ２とが電気的に接続されている。
【００７０】
少なくとも一つのインピーダンス素子は第１の導電コネクタ３４における二つの導電性入力端又は第２の導電コネクタ３５における二つの導電性入力端に電気的に接続されているか、又はインピーダンス素子もまた整流手段３２の出力端３２３とグランド端とを電気的に接続することができる。本実施例ではインピーダンス素子３７１を例としている。また、インピーダンス素子３７１は第１の導電コネクタ３４における二つの導電性入力端に電気的に接続されており、つまり第１の電極Ａ１と第２の電極Ａ２とが電気的に接続されている。当然のこと、その他の実施例において、インピーダンス素子の数は二つとしてもよく、そのうえ第１の導電コネクタ３４における二つの導電性入力端又は第２の導電コネクタ３５における二つの導電性入力端にそれぞれ電気的に接続されてもよい。インピーダンス素子の数が二つである場合、そのうちの一つが第１の導電コネクタ３４における二つの導電性入力端に電気的に接続されており、他の一つが第２の導電コネクタ３５における二つの導電性入力端に電気的に接続されている。このうち、インピーダンス素子は可変インピーダンス素子又は発光手段３１の回路の一部又は全部、又は整流手段３２の回路の一部又は全部、又はＡＣ発光ダイオードモジュールとしてもよい。また、発光装置３は、一端が出力端３２３に電気的に接続されており、他端がグランドされている少なくとも一つのフィルタ（図示しない）をさらに備えることができる。
【００７１】
本実施例の発光装置３は、インピーダンス素子３７１を擬似的なフィラメントとしており、発光装置３が起動すると、インピーダンス素子３７１により公知の蛍光ランプの起動状況を踏襲する。そしてフィラメント（インピーダンス素子３７１）の電流ループ及びランプの電流ループは上記の発光装置を参考できるので、ここでは別途説明はしない。しかし、特に注意すべきは、本実施例では整流手段３２及びインピーダンス素子３７１は、発光装置３が公知のランプ器具に取付けられているにも関わらず、もし発光装置３が点灯しないときには、第１の電極Ａ１及び第２の電極Ａ２の位置は交換することができるものである。換言すれば、発光装置３のランプを長軸方向で１８０度回転させて、第１の電極Ａ１を元々は第２の電極Ａ２が取付けられていたソケット位置に取付けるとともに、第２の電極Ａ２を元々は第１の電極Ａ１が取付けられていたソケット位置に取付けることができる。また、第１の電極Ｂ１を元々は第２の電極Ｂ２が取付けられていたソケット位置に取付けるとともに、第２の電極Ｂ２を元々は第１の電極Ｂ１が取付けられていたソケット位置に取付けることで、発光装置３は点灯することができる。
【００７２】
また、図４Ｂは、他の態様である発光装置３ａの回路概略図を示す。
【００７３】
発光装置３ａと発光装置３との相違点は、発光装置３ａのインピーダンス素子３７２は第２の導電コネクタ３５における二つの導電性入力端、つまり第２の導電コネクタ３５の第１の電極Ｂ１及び第２の電極Ｂ２に電気的に接続されている。
【００７４】
本実施例の発光装置３ａは、インピーダンス素子３７２を擬似的なフィラメントとしており、発光装置３ａが起動すると、インピーダンス素子３７２により公知の蛍光ランプの起動状況を踏襲する。また、発光装置３と同様に、発光装置３ａを取付けたが点灯しない場合、上記第１の導電コネクタ２４又は２５の第１の電極と第２の電極の位置を変更する必要がある。また、フィラメント（インピーダンス素子３７２）の電流ループ及びランプの電流ループは上記の発光装置を参考できるので、ここでは別途説明はしない。
【００７５】
図４Ｃは、さらに他の態様に係る発光装置３ｂの回路概略図を示す。
【００７６】
発光装置３ｂと発光装置３との相違点は、発光装置３ｂではインピーダンス素子３７２が増設されており、かつ第２の導電コネクタ３５における二つの導電性入力端に電気的に接続されており、つまり第２の導電コネクタ３５の第１の電極Ｂ１及び第２の電極Ｂ２に電気的に接続されている点にある。また、発光装置３ｂは、一端が出力端３２３に電気的に接続されており、他端がグランドされている少なくとも一つのフィルタ３６をさらに備えることができる。このうち、フィルタ３６は発光手段３１に入力される電源の濾波用とすることができる。
【００７７】
図４Ｄは、さらに他の態様に係る発光装置３ｃの態様の回路概略図を示す。
【００７８】
図４Ｄの発光装置３ｃと図４Ａの発光装置３との相違点は、発光装置３ｃは、第１の入力端３２１、３３１と、第２の入力端３２２、３３２、共通の出力端３２３（３３３）と、グランド端３２４、３３４とをそれぞれ有しており、かつ出力端３２３（３３３）が発光手段３１に電気的に接続されている二つの整流手段３２、３３を備えている点である。また、発光装置３ｃは、抵抗器であって、かつその一端が出力端３２３（３３３）に電気的に接続され、他端がグランドされている一つのインピーダンス素子３７３を備えている。このうち、発光装置３ｃはインピーダンス素子３７３を擬似的なフィラメントとしている。そのフィラメントの電流ループ及びランプの電流ループは上述した図２Ｅの発光装置２ｄを参照することができるので、ここでは別途説明しない。
【００７９】
また、発光装置３、３ａ、３ｂ、３ｃのその他の技術的特徴は発光装置２を参照することができるので、ここでは別途説明はしない。
【００８０】
図４Ｅは、さらに他の実施形態に係る発光装置３ｅの回路概略図を示す。
【００８１】
図４Ｅの発光装置３ｅと図３Ａの発光装置２ｇとの相違点は、発光装置３ｄは、一つの整流手段３２（ブリッジ整流器）しか備えておらず、かつ整流手段３２は、ＡＣ発光ダイオードモジュール３７１ａに電気的に接続されている第１の入力端３２１と、ＡＣ発光ダイオードモジュール３７２ａに電気的に接続されている第２の入力端３２２とを有している点である。第１の導電コネクタ３４は外部電源とＡＣ発光ダイオードモジュール３７１ａとを電気的に接続し、第２の導電コネクタ３５は外部電源とＡＣ発光ダイオードモジュール３７２ａとを電気的に接続している。ＡＣ発光ダイオードモジュール３７１ａ、３７２ａを設置することで、ブリッジ整流器は、第１の導電コネクタ３４の第１の電極Ａ１及び第２の電極Ａ２からの、そして第２の導電コネクタ３５の第１の電極Ｂ１及び第２の電極Ｂ２からの交流電源を受電するものであり、かつ発光装置２ｆの取り付け方向が異なることで外部電源を受電できないということはない。
【００８２】
また、本実施例において、 ＡＣ発光ダイオードモジュール３７１ａ及びＡＣ発光ダイオードモジュール３７２ａを発光装置３ｄにおける二つのインピーダンス素子とするとともに、ＡＣ発光ダイオードモジュール３７１ａ及びＡＣ発光ダイオードモジュール３７２ａは、第１の導電コネクタ３４の第１の電極Ａ１と第２の電極Ａ２との間、及び第２の導電コネクタ３５の第１の電極Ｂ１と第２の電極Ｂ２にそれぞれ電気的に接続されている。このうち、ＡＣ発光ダイオードモジュール３７１ａ及びＡＣ発光ダイオードモジュール３７２ａは、その接続状態を図４Ｅに示すように二つの発光ダイオードが反対に接続された後に二つが直列接続されている四つの発光ダイオードを備えている。このうち、ＡＣ発光ダイオードモジュール３７１ａ及びＡＣ発光ダイオードモジュール３７２ａ（二つのインピーダンス素子）内の発光ダイオードの数は限定されず、４つ以上又は未満としてもよい。
【００８３】
ＡＣ発光ダイオードモジュール３７１ａ及びＡＣ発光ダイオードモジュール３７２ａは、それぞれ第１の導電コネクタ３４における二つの電極Ａ１、Ａ２及び第２の導電コネクタ３５における二つの電極Ｂ１、Ｂ２に直接電気的に接続されることで、ＡＣ発光ダイオードモジュール３７１ａ及びＡＣ発光ダイオードモジュール３７２ａの発光ダイオードを直接交流電源により駆動することができるので、ＡＣ発光ダイオードモジュール３７１ａ及びＡＣ発光ダイオードモジュール３７２ａは、それぞれをＡＣ発光ダイオード（Ａｌｔｅｒｎａｔｉｎｇ Ｃｕｒｒｅｎｔ Ｌｉｇｈｔ Ｅｍｉｔｔｉｎｇ Ｄｉｏｄｅ、 ＡＣ ＬＥＤ）モジュールとしている。よって、入力された外部電源が正方向で半周であるとき、ＡＣ発光ダイオードモジュール３７１ａ及びＡＣ発光ダイオードモジュール３７２ａ（インピーダンス素子）内における順方向バイアスの二つの発光ダイオードが導通し（例えばＡＣ発光ダイオードモジュール３７１ａにて上から下に一つ目及び四つ目の発光ダイオード）、一方で逆方向のバイアスの二つ発光ダイオードは導通しない（例えばＡＣ発光ダイオードモジュール３７１ａにて上から下に二つ目及び三つ目の発光ダイオード）。入力された外部電源が負方向で半周であるとき、順方向バイアスの二つ発光ダイオードが導通し（例えばＡＣ発光ダイオードモジュール３７１ａにて上から下に二つ目及び三つ目の発光ダイオード）、一方で逆方向のバイアスの二つ発光ダイオードは導通しない（例えばＡＣ発光ダイオードモジュール３７１ａにて上から下に一つ目及び四つ目の発光ダイオード）。したがって、発光装置３ｄはＡＣ発光ダイオードモジュール３７１ａ、３７１ｂを擬似的なフィラメントとしている。ＡＣ発光ダイオードモジュール３７１ａ、３７１ｂ（インピーダンス素子）を設置することで、発光装置３ｄは安定器を備えた従来の蛍光灯（又は蛍光ランプ）と直接交換することができ、ランプ器具のスタータ、安定器を取り外したり、ランプ器具の配線を変更する必要はなくなる。
【００８４】
また、発光装置３ｄにおけるスイッチング手段３８はトランジスタＱ１、Ｑ２の電子回路を備えている。詳細に言えば、発光装置３ｄのスイッチング手段３８は二つのトランジスタＱ１、Ｑ２及び二つの抵抗器Ｒ２、Ｒ３からなる電子回路である。本実施形態において、第１の導電コネクタ３４の第１の電極Ａ１及び第２の電極Ａ２が外部電源に接続されると（図示せず）、スイッチ３９１（フォトカプラ）が導通するが、このとき、もし第１の導電コネクタ３４の第１の電極Ｂ１及び第２の電極Ｂ２も外部電源に接続されると（図示せず）、スイッチ３９２（フォトカプラ）もまた導通するので、電圧Ｖｃｃにより生じた電流は、抵抗器Ｒ１、スイッチ３９１及びスイッチ３９２を介してスイッチング手段３８に入力するトランジスタＱ２のベースに流れて、スイッチング手段３８が導通することで発光手段３１が点灯されて発光する。スイッチング手段３８が導通した後、トランジスタＱ２はトランジスタＱ１に必要なベース電流を提供し、そしてトランジスタＱ１はトランジスタＱ２に必要なベース電流を提供する、つまりスイッチング手段３８は、外部電源が切断されるまで、セルフラッチされた導通状態となる。
【００８５】
発光手段３１が発光し始めると、スイッチング手段３８はそれ自身の回路特性により導通を維持し続ける。制御手段３９がさらに信号をスイッチング手段３８に出力せずとも、スイッチング手段３８は、トランジスタＱ１、Ｑ２の電子回路の特性により導通を維持して、セルフラッチループを形成する。換言すれば、第１の導電コネクタ３４及び第２の導電コネクタ３５が蛍光ランプのソケットに同時に挿入されたときに、ようやく発光手段３１が点灯するということになる。発光装置３ｄは導電コネクタの一つしかソケットに挿入されていないときには、発光手段３１は点灯されないので、設置作業者が発光装置３ｄを取付けるときに感電するのを防止している。特に言及すべきは、スイッチング手段３８は、サイリスタ（ｓｉｌｉｃｏｎ-ｃｏｎｔｒｏｌｌｅｄ ｒｅｃｔｉｆｉｅｒ、 ＳＣＲ）（図示しない）に置き換えてもよいということである。
【００８６】
また、発光装置３ｄのその他の技術的特徴は、上述した発光装置２ｇを参照することができるので、ここでは別途説明しない。
【００８７】
図５Ａは、さらに他の態様に係る発光装置４の概略図を示す。
【００８８】
図５Ａの発光装置４と図４Ａの発光装置３との主な相違点は、発光装置４の発光手段４１は直接接続された複数の発光ダイオードを備えている点である。ここでは、４つの発光ダイオードを直列接続したものを例とする。しかしながら、発光ダイオードの数及びその接続方式には限定はしない。また、整流手段４２は直列接続又は並列接続された四組の発光ダイオードモジュール４２５〜４２８を備えている。ここでは、発光ダイオードモジュール４２５〜４２８は直列接続された後にさらにブリッジ形式に接続されて、整流手段４２にてＡＣ電発光ダイオードモジュールを構成している。
【００８９】
したがって、入力された外部電源が正方向で半周であるとき、そのランプの電流ループは、第１の導電コネクタ４４の第１の電極Ａ１、発光ダイオードモジュール４２５、発光手段４１、発光ダイオードモジュール４２８及び第２の導電コネクタ４５の第１の電極Ｂ１となる。入力された外部電源が負方向で半周であるとき、そのランプの電流ループは、第１の導電コネクタ４４の第１の電極Ａ１、発光ダイオードモジュール４２７、発光手段４１、発光ダイオードモジュール４２６及び第２の導電コネクタ４５の第１の電極Ｂ１となる。したがって、発光手段４１は点灯する。注意すべきは、本実施例の発光手段４１は整流手段４２内に記載されているが、整流手段４２は発光手段４１を備えるというわけではない。
【００９０】
また、発光装置４における擬似的なフィラメントは上述した発光装置３を参照することができるので、ここでは別途説明しない。
【００９１】
図５Ｂ乃至図５Ｅは、それぞれさらに他の態様に係る発光装置の概略図を示す。
【００９２】
図５Ｂに示すように、発光装置４ａと図５Ａの発光装置４との主な相違点は、発光装置４ａのインピーダンス素子４７３が第１の導電コネクタ４４の第２の電極Ａ２とグランド端４２４（４１３）との間に電気的に接続されている点である。このうち、発光装置４ａの擬似的なフィラメント電流ループは上述した発光装置２ｄを参照することができるので、ここでは別途説明しない。
【００９３】
また、図５Ｃに示すように、発光装置４ｂと図５Ａの発光装置４との主な相違点は、発光装置４ｂの整流手段４２ｂはブリッジ形式に接続された二組の発光ダイオードモジュール４２５〜４２８を備えており、ブリッジ形式に接続されたこの二組の発光ダイオードモジュール４２５〜４２８は、グランド端４２４、４３４を介して電気的に接続されているところである。また、ブリッジ形式に接続された二つの発光ダイオードモジュール４２５〜４２８は、それぞれ一つの発光手段４１ａ、４１ｂに電気的に接続されている。このうち、整流手段４２ｂ及び発光手段４１ａ、４１ｂの接続方式は、図５Ｃを参照することができる。また、発光装置４ｂの擬似的なフィラメント電流ループは上述した発光装置３を参照することができるので、ここでは別途説明しない。
【００９４】
また、図５Ｄに示すように、発光装置４ｃと図５Ｃの発光装置４ｂとの主な相違点は、発光装置４ｃのインピーダンス素子４７３は発光手段４１ａ、４１ｂの出力端４２３、４３３及びグランド端４１３に電気的に接続されている点である。このうち、発光装置４ｃの擬似的なフィラメントの電流経路は、第１の導電コネクタ４４の第１の電極Ａ１、上側のブリッジ式発光ダイオードモジュール４２５、インピーダンス素子４７３、下側のブリッジ式発光ダイオードモジュール４２７及び第１の導電コネクタ４４の第２の電極Ａ２である。又は、第１の導電コネクタ４４の第２の電極Ａ２、下側のブリッジ式発光ダイオードモジュール４２５、インピーダンス素子４７３、上側のブリッジ式発光ダイオードモジュール４２７及び第１の導電コネクタ４４の第１の電極Ａ１である。
【００９５】
また、図５Ｅに示すように、発光装置４ｄと図５Ｃの発光装置４ｂとの主な相違点は、発光装置４ｄは発光手段４１ａ又は発光手段４１ｂの全ての回路を擬似的なフィラメントとしている点である。このうち、発光装置４ｄの擬似的なフィラメントの電流経路は、第１の導電コネクタ４４の第１の電極Ａ１、上側のブリッジ式発光ダイオードモジュール４２５、発光手段４１ａ、下側のブリッジ式発光ダイオードモジュール４２７及び第１の導電コネクタ４４の第２の電極Ａ２である。又は、第１の導電コネクタ４４之第２の電極Ａ２、下側のブリッジ式発光ダイオードモジュール４２５、発光手段４１ｂ、上側のブリッジ式発光ダイオードモジュール４２７及び第１の導電コネクタ４４の第１の電極Ａ１である。再度言及すべきことは、発光装置４ａ、４ｂ、４ｃ、４ｄは他のインピーダンス素子（図示しない）をさらに備えることができ、かつ他のインピーダンス素子の両端はそれぞれ第２の導電コネクタの第１の電極Ｂ１及び第２の電極Ｂ２に電気的に接続されているということである。
【００９６】
また、発光装置４ａ、４ｂ、４ｃ、４ｄにおけるランプの電流ループは、発光装置４を参照することができるので、ここでは別途説明しない。
【００９７】
以上のように、本発明に係る発光装置は、発光ダイオードランプであって、これには公知の蛍光ランプのようなフィラメントがないものの、発光装置の内部素子を疑似的なフィラメントとすることにより、公知のランプ器具のスタータ及び安定器は、そのまま用いて正常動作が可能となるうえ、発光装置は正常に点灯することができる。公知技術と比較するに、公知の蛍光ランプが本発明の発光装置に交換されたことにより、従来型の安定器のスタータが焼き付いたり、又は電子式の安定器を取り外して配線を変更しなければならないという問題が生じることはない。したがって、本発明の発光装置が公知の蛍光ランプ器具に取付けられるとき、公知の蛍光ランプと直接交換して点灯させることができ、かつランプ器具の配線を変更する必要はなくなる。
【００９８】
上記は例示的なものであって、本発明の技術的範囲を限定するためのものではない。本発明の技術的思想及び範囲から逸脱することなく、行われる等価の修正又は変更は、いずれも別紙の特許請求の範囲に含まれる。
【符号の説明】
【００９９】
１    蛍光灯器具
１１    蛍光管
１１１    口金
１１２     チューブ
１１３     フィラメント
１２     ランプ器具
１２１     ソケット
１２２、Ｔ    安定器
１２３、Ｓ    スタータ
１２４     器具本体
２、２ａ、２ｂ、２ｃ、２ｄ、２ｅ、２ｆ、２ｇ、２ｇ’、２ｈ、３、３ａ、３ｂ、３ｃ、３ｄ、４、４ａ、４ｂ、４ｃ、４ｄ    発光装置
２１、３１、４１、４１ａ、４１ｂ    発光手段
２１１、３１１    制御モジュール
２１２、３１２    発光モジュール
２１３、２２４、２３４、３２４、３３４、４１３、４２４    グランド端
２２、２３、３２、３３、４２、４２ｂ    整流手段（ブリッジ整流器）
２２１、２３１、３２１、３３１、４２１    第１の入力端
２２２、２３２、３２２、３３２、４２２    第２の入力端
２２３、２３３、３２３、３３３、４２３    出力端
２４、３４、４４    第１の導電コネクタ
２５、３５、４５    第２の導電コネクタ
２６、３６    フィルタ
２７１、２７２、２７３、２７４、３７１、３７１ａ、３７２、３７２ａ、３７３、４７１、４７３    インピーダンス素子
２８、３８    スイッチング手段
２８１、２８２、ＳＷ１、ＳＷ２    スイッチ
２９、３９    制御手段
４２５〜４２    発光ダイオードモジュール
Ａ１、Ｂ１    第１の電極
Ａ２、Ｂ２    第２の電極
ＡＣ    外部電源
Ｐ    回路
Ｑ１、Ｑ２    トランジスタ
Ｒ１、Ｒ２、Ｒ３    抵抗器
Ｖｃｃ    電圧
【図１Ａ】
0005526190.tif 000002
【図１Ｂ】
0005526190.tif 000003
【図２Ａ】
0005526190.tif 000004
【図２Ｂ】
0005526190.tif 000005
【図２Ｃ】
0005526190.tif 000006
【図２Ｄ】
0005526190.tif 000007
【図２Ｅ】
0005526190.tif 000008
【図２Ｆ】
0005526190.tif 000009
【図２Ｇ】
0005526190.tif 000010
【図２Ｈ】
0005526190.tif 000011
【図３Ａ】
0005526190.tif 000012
【図３Ｂ】
0005526190.tif 000013
【図４Ａ】
0005526190.tif 000014
【図４Ｂ】
0005526190.tif 000015
【図４Ｃ】
0005526190.tif 000016
【図４Ｄ】
0005526190.tif 000017
【図４Ｅ】
0005526190.tif 000018
【図５Ａ】
0005526190.tif 000019
【図５Ｂ】
0005526190.tif 000020
【図５Ｃ】
0005526190.tif 000021
【図５Ｄ】
0005526190.tif 000022
【図５Ｅ】
0005526190.tif 000023